(57)【要約】【課題】異なる方向に開閉する開閉部材の開閉及び着脱部材の着脱を単一の検知手段で検知し、かつ複雑な部材の組合せを必要とせず、検知のバラツキを抑制することができるスイッチ機構及び画像形成装置を提供する。【解決手段】装置本体の開口部を開閉する複数の開閉部材と、装置本体に保持部材を介して設けられたスイッチと、装置本体に回転可能に設けられ、周上に、一つの開閉部材に設けられスイッチ本体を作動させる作動片を受け入れる開口と、他の開閉部材が係合して遮蔽部材を回転させる操作部と、遮蔽部材の回転を阻止する少なくとも一つの停止部を有しスイッチ本体の外側を遮蔽する遮蔽部材と、装置本体に揺動可能に設けられ、遮蔽部材の停止部に係合して遮蔽部材の回転を阻止する停止部材と、を備えた。【選択図】図５
2016161905.tif 000002
【特許請求の範囲】
【請求項１】
装置本体の開口部を開閉する複数の開閉部材と、
前記装置本体に保持部材を介して設けられたスイッチ本体と、
前記装置本体に回転可能に設けられ、周上に、一つの前記開閉部材に設けられ前記スイッチ本体を作動させる作動片を受け入れる開口と、他の前記開閉部材が係合して前記遮蔽部材を回転させる操作部と、前記遮蔽部材の回転を阻止する少なくとも一つの停止部を有し前記スイッチ本体の外側を遮蔽する遮蔽部材と、
前記装置本体に揺動可能に設けられ、前記遮蔽部材の前記停止部に係合して前記遮蔽部材の回転を阻止する停止部材と、を備えた、
ことを特徴とするスイッチ機構。
【請求項２】
前記装置本体に対して前記開口部から着脱される着脱部材を更に備え、
前記着脱部材が前記装置本体に装着されたときに前記停止部材と接触して前記遮蔽部材との係合が解除される、
ことを特徴とする請求項１に記載のスイッチ機構。
【請求項３】
前記遮蔽部材は、前記停止部材との係合が解除された状態で一方の前記開閉部材の閉動作に伴って前記操作部が前記開閉部材と接触して回転し、他方の前記開閉部材の閉動作に伴って前記開閉部材に設けられた前記作動片が進入し、前記スイッチ本体を作動させる、
ことを特徴とする請求項１又は２に記載のスイッチ機構。
【請求項４】
前記遮蔽部材は、内面側に案内面が形成され、前記案内面が前記保持部材の外面に接触して前記装置本体に回転可能に支持されている、
ことを特徴とする請求項１ないし３のいずれか１項に記載のスイッチ機構。
【請求項５】
筐体と、
像保持体とトナー像を形成する現像装置を含んでトナー像が形成される像形成ユニットと、
帯電された前記像保持体に露光を行って潜像を形成する露光装置と、
請求項１ないし４のいずれか１項に記載のスイッチ機構と、
前記現像装置の現像によって得られたトナー像を記録媒体に転写する転写手段と、
前記転写手段によって前記記録媒体に転写された画像を定着させる定着手段と、を含む、
ことを特徴とする画像形成装置。
【発明の詳細な説明】
【技術分野】
【０００１】
本発明は、スイッチ機構及び画像形成装置に関する。
【背景技術】
【０００２】
開閉可能な第１カバーと第１カバーに隣接して開閉可能な第２カバーと、第１カバーと第２カバーとがそれぞれ第１突起と第２突起とを備え、かつ、当接することでカバーの閉状態を検知する検知手段を備えるカバー検知機構において、第１突起が検知手段に当接し、かつ、第２突起が第１突起に当接することにより、第１カバーと第２カバーとが閉状態にあることを検知するカバー検知機構が知られている（特許文献１）。
【先行技術文献】
【特許文献】
【０００３】
【特許文献１】特開２０１１−４７９７１号公報
【発明の概要】
【発明が解決しようとする課題】
【０００４】
本発明は、異なる方向に開閉する開閉部材の開閉及び着脱部材の着脱を単一の検知手段で検知し、かつ複雑な部材の組合せを必要とせず、検知のバラツキを抑制することができるスイッチ機構及び画像形成装置を提供することを目的とする。
【課題を解決するための手段】
【０００５】
前記課題を解決するために、請求項１に記載のスイッチ機構は、
装置本体の開口部を開閉する複数の開閉部材と、
前記装置本体に保持部材を介して設けられたスイッチ本体と、
前記装置本体に回転可能に設けられ、周上に、一つの前記開閉部材に設けられ前記スイッチ本体を作動させる作動片を受け入れる開口と、他の前記開閉部材が係合して前記遮蔽部材を回転させる操作部と、前記遮蔽部材の回転を阻止する少なくとも一つの停止部を有し前記スイッチ本体の外側を遮蔽する遮蔽部材と、
前記装置本体に揺動可能に設けられ、前記遮蔽部材の前記停止部に係合して前記遮蔽部材の回転を阻止する停止部材と、を備えた、
ことを特徴とする。
【０００６】
請求項２記載の発明は、請求項１に記載のスイッチ機構において、
前記装置本体に対して前記開口部から着脱される着脱部材を更に備え、
前記着脱部材が前記装置本体に装着されたときに前記停止部材と接触して前記遮蔽部材との係合が解除される、
ことを特徴とする。
【０００７】
請求項３記載の発明は、請求項１又は２に記載のスイッチ機構において、
前記遮蔽部材は、前記停止部材との係合が解除された状態で一方の前記開閉部材の閉動作に伴って前記操作部が前記開閉部材と接触して回転し、他方の前記開閉部材の閉動作に伴って前記開閉部材に設けられた前記作動片が進入し、前記スイッチ本体を作動させる、
ことを特徴とする。
【０００８】
請求項４記載の発明は、請求項１ないし３のいずれか１項に記載のスイッチ機構において、
前記遮蔽部材は、内面側に案内面が形成され、前記案内面が前記保持部材の外面に接触して前記装置本体に回転可能に支持されている、
ことを特徴とする。
【０００９】
前記課題を解決するために、請求項５に記載の画像形成装置は、
筐体と、
像保持体とトナー像を形成する現像装置を含んでトナー像が形成される像形成ユニットと、
帯電された前記像保持体に露光を行って潜像を形成する露光装置と、
請求項１ないし４のいずれか１項に記載のスイッチ機構と、
前記現像装置の現像によって得られたトナー像を記録媒体に転写する転写手段と、
前記転写手段によって前記記録媒体に転写された画像を定着させる定着手段と、を含む、
ことを特徴とする。
【発明の効果】
【００１０】
請求項１ないし５に記載の発明によれば、異なる方向に開閉する複数の開閉部材の開閉及び着脱部材の着脱を単一の検知手段で検知し、かつ複雑な部材の組合せを必要とせず、検知のバラツキを抑制することができる。
【図面の簡単な説明】
【００１１】
【図１】画像形成装置１の内部構成を示す断面模式図である。
【図２】（ａ）はインターロックスイッチ機構１００が設けられた画像形成装置１の構成を示す部分断面正面図、（ｂ）は部分断面側面図である。
【図３】（ａ）は開閉扉が開いた状態のインターロックスイッチ機構１００の部分断面斜視図、（ｂ）は断面模式図である。
【図４】（ａ）は開閉扉が閉じで転写ユニット５０が装着された状態のインターロックスイッチ機構１００の部分断面斜視図、（ｂ）は断面模式図である。
【図５】インターロックスイッチ機構１００の動作を説明するための断面模式図である。
【図６】インターロックスイッチ機構１００の作用を説明する断面模式図である。
【図７】変形例に係るインターロックスイッチ機構１００Ａの断面模式図である。
【発明を実施するための形態】
【００１２】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００１３】
画像形成装置１は、制御装置１０、給紙装置２０、感光体ユニット３０、現像ユニット４０、転写ユニット５０、定着装置６０、を備えて構成されている。画像形成装置１の上面（Ｚ方向）には、画像が記録された用紙Ｐが排出・収容される排出トレイ１ａが形成されている。
【００１４】
制御装置１０は、画像形成装置１の動作を制御する画像形成装置制御部１１と、印刷処理要求に応じた画像データを準備するコントローラ部１２、露光装置ＬＨの点灯を制御する露光制御部１３、電源装置１４等を有する。電源装置１４は、後述する帯電ローラ３２、現像ローラ４２、一次転写ローラ５２、給電ローラ５４等に電圧を印加するとともに、露光装置ＬＨ、給紙装置２０、定着装置６０及び備えられた各センサ等に電力を供給する。
【００１５】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、複数の発光素子（ＬＥＤ：Light  Emitting  Diode）が主走査方向に沿って線状に配列されたＬＥＤヘッドにより構成されている。
【００１６】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１７】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像ユニット４０、一次転写ローラ５２、クリーニングブレード３４が配置されている。帯電ローラ３２には、帯電ローラ３２の表面をクリーニングするクリーニングローラ３３が対向、接触して配置されている。
【００１８】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像ユニット４０各々は、現像ハウジング４１に収容される現像剤を除いて同様に構成され、それぞれがイエロー（Ｙ）、マゼンタ（Ｍ）、シアン（Ｃ）、黒（Ｋ）のトナー像を形成する。
【００１９】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００２０】
転写ユニット５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を用紙Ｐに一括転写（二次転写）する転写手段の一例としての二次転写ローラ５３、二次転写ローラ５３に二次転写バイアスを給電する給電ローラ５４とから構成されている。
【００２１】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
【００２２】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、給電ローラ５４には、画像形成装置制御部１１により制御される電源装置１４等から所定の転写電圧が印加され、レジストローラ対２３から送り出され、搬送ガイドにより案内された用紙Ｐに中間転写ベルト５１上の多重トナー像が一括転写される。
【００２３】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２４】
定着装置６０は、定着ユニット６００、搬送ローラ対６８、排出ローラ対６９を備えて構成されている。定着ユニット６００は、加熱モジュール６１と加圧モジュール６２を有し、加熱モジュール６１と加圧モジュール６２の圧接領域によって定着ニップ部Ｎ（定着領域）が形成される。
【００２５】
転写ユニット５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ローラ対６８を介して排出ローラ対６９から画像形成装置１上面の排出トレイ１ａに排出される。
【００２６】
（２）インターロックスイッチ機構の構成
図２（ａ）はインターロックスイッチ機構１００が設けられた画像形成装置１の構成を示す部分断面正面図、（ｂ）は部分断面側面図、図３（ａ）は開閉扉が開いた状態のインターロックスイッチ機構１００の部分断面斜視図、（ｂ）は断面模式図、図４（ａ）は開閉扉が閉じで転写ユニット５０が装着された状態のインターロックスイッチ機構１００の部分断面斜視図、（ｂ）は断面模式図である。
以下、図面を参照しながらインターロックスイッチ機構１００の構成を説明する。
【００２７】
（２．１）開閉扉
図２（ａ）、（ｂ）に示すように、画像形成装置１は、装置本体の内部を開放・閉鎖する第１開閉扉７０、第２開閉扉８０を有している。
第１開閉扉７０は、画像形成装置１の上面側から装置本体の内部を開放・閉鎖し、装置本体に対して着脱部材の一例としての転写ユニット５０の着脱が行われる。
第２開閉扉８０は、画像形成装置１の側面側から装置本体の内部を開放・閉鎖し、装置本体に対して感光体ユニット３０、現像ユニット４０、廃トナー回収装置ＴＮ等の着脱が行われる。
【００２８】
第１開閉扉７０は、回転軸７１を軸心として回転されることで開閉され、第２開閉扉８０は、回転軸８１を軸心として回転されることで開閉される。装置本体の内部には、スイッチ機構としてのインターロックスイッチ機構１００が設けられて、第１開閉扉７０及び第２開閉扉８０が所定の順序で操作されることで、インターロックスイッチ１１０がオンされる。
【００２９】
（２．２）インターロックスイッチ機構
図３に示すように、インターロックスイッチ機構１００は、インターロックスイッチ１１０と、遮蔽部材１２０と、停止部材１３０とで構成されている。
【００３０】
インターロックスイッチ１１０は、本体部１１１とレバー部１１２とで構成され、保持部材１１５を介して装置本体に固定されている。レバー部１１２は一端側（下端）を軸心として、他端側（上端部側）が揺動し、レバー部１１２の内側で本体部１１１に配置されたスイッチ部１１３を押圧する。
レバー部１１２は開いた状態となるように付勢され、この開いた状態（図３参照）がオフ状態で、レバー部１１２が押されてスイッチ部１１３を押圧するとオン状態とされる。
【００３１】
インターロックスイッチ１１０がオン状態のとき、画像形成装置１が動作可能とされ、オフ状態のときは画像形成装置１の動作不可とされる。画像形成装置１は、電源装置１４からの出力ライン（３．３Ｖ）にインターロックスイッチ１１０を設け、インターロックスイッチ１１０がオフ状態とされることで電源供給が遮断される。
【００３２】
インターロックスイッチ１１０の外側には、遮蔽部材１２０が設けられている。遮蔽部材１２０は、インターロックスイッチ１１０の外側全体を覆う、断面視で全体が円筒状とされている。
【００３３】
遮蔽部材１２０の周上には、停止部としての第１開口部１２１、第２開口部１２２が形成されている。第１開口部１２１には、停止部材１３０の一端が入り込んで係合し遮蔽部材１２０の回転が阻止される。第２開口部１２２には、第２開閉扉８０の作動片８２が入り込んで、インターロックスイッチ１１０のレバー部１１２を押圧する。
【００３４】
遮蔽部材１２０の周上には操作部１２３が形成されている。操作部１２３は、第１開閉扉７０の閉動作に伴って第１開閉扉７０の下面に形成された凸片７２が接触して、遮蔽部材１２０を時計回りに回転させる。
【００３５】
遮蔽部材１２０の内面側には、断面視円弧状の案内面１２４、１２４が半径方向に突出して形成され、インターロックスイッチ１１０の保持部材１１５の外周面と摺動するように接触している。その結果、遮蔽部材１２０は、図３（ａ）、（ｂ）に示す第１の位置と、図４（ａ）、（ｂ）に示す第１の位置よりも時計回り方向（図３中  ＣＷ参照）に回転した第２の位置とに回転可能とされている。
また、遮蔽部材１２０は、一端が装置本体に固定された引張コイルバネＳＲ（矢印で図示）によって反時計回りに付勢され、第１開閉扉７０及び第２開閉扉８０が開放され転写ユニット５０が装着されていない状態では、第１の位置に付勢されている。
【００３６】
遮蔽部材１２０の外側の一端には、装置本体に対して停止部材１３０が揺動可能に設けられている。停止部材１３０は、正面視略Ｌ字形状であり、遮蔽部材１２０の第１開口部１２１に入り込んで係合する第１レバー部１３１と第１開閉扉７０の凸片７２が接触して時計回りに揺動する第２レバー部１３２からなり、回転支持軸１３３を揺動中心としてトーションバネＴＲで反時計周りに付勢されている。
【００３７】
このように構成されるインターロックスイッチ機構１００は、断面視で全体が円筒状の遮蔽部材１２０の内部にインターロックスイッチ１１０が装置本体に保持部材を介して固定され、遮蔽部材１２０の回転を阻止する停止部材１３０が揺動可能に配置されている。
そのために、複雑な部材の組合せを必要とせず部品点数を削減して省スペースの構成となっている。
【００３８】
（３）インターロックスイッチ機構の動作
図５はインターロックスイッチ機構１００の動作を説明するための断面模式図、図６はインターロックスイッチ機構１００の作用を説明する断面模式図である。
以下、図面を参照しながらインターロックスイッチ機構１００の動作と作用について説明する。尚、図５、図６において、第１開閉扉７０、第２開閉扉８０及び転写ユニット５０については、それぞれインターロックスイッチ機構１００と直接接触する箇所を簡略化して、矩形と符合のみで表している。
【００３９】
図５（ａ）は、第１開閉扉７０、８０が解放されて、転写ユニット５０が装置本体に装着され、転写ユニット５０が停止部材１３０の第２レバー部１３２に接触する前の状態を示している。この状態では、遮蔽部材１２０は引張コイルバネＳＲで第１の位置に付勢されている。
そのために、この状態で第２開閉扉８０を閉じる操作を行っても、第２開閉扉８０の作動片８２は遮蔽部材１２０の第２開口部１２２からインターロックスイッチ１１０側へ侵入できずインターロックスイッチ１１０はＯＮ状態とはされない。
【００４０】
次に、図５（ｂ）に示すように、転写ユニット５０を所定の位置まで挿入すると、転写ユニット５０が停止部材１３０の第２レバー部１３２に接触して停止部材１３０を回転させる（図５（ｂ）中  矢印Ｒ１参照）。
その結果、停止部材１３０の第１レバー部１３１は遮蔽部材１２０の第１開口部１２１との係合が解除され、遮蔽部材１２０は時計回り方向に回転可能な状態となる。
【００４１】
この転写ユニット５０が装置本体に装着された状態で、第１開閉扉７０の閉操作を行うと、第１開閉扉７０の凸片７２が遮蔽部材１２０の操作部１２３と接触して遮蔽部材１２０は第２位置まで回転する（図５（ｃ）中  矢印Ｒ２参照）。その結果、遮蔽部材１２０の第２開口部１２２がインターロックスイッチ１１０のレバー部１１２と相対する状態となる（図５（ｃ）参照）。
【００４２】
そして、第２開閉扉８０の閉操作を行うと、第２開閉扉８０の作動片８２は遮蔽部材１２０の第２開口部１２２から侵入してインターロックスイッチ１１０のレバー部１１２を押圧する。その結果、インターロックスイッチ１１０はＯＮ状態となる（図５（ｄ）参照）。
【００４３】
なお、図６（ａ）に示すように、第１開閉扉７０を閉鎖しないで、第２開閉扉８０を閉鎖すると、遮蔽部材１２０は、第２開口部１２２がインターロックスイッチ１１０とは相対しない第１位置に位置して、第２開閉扉８０の作動片８２はインターロックスイッチ１１０側へ侵入できずインターロックスイッチ１１０をＯＮ状態にできない。
【００４４】
また、転写ユニット５０を装置本体の所定の位置に装着しない状態で第１開閉扉７０を閉鎖した場合、第１開閉扉７０の凸片７２は遮蔽部材１２０の操作部１２３と接触するが、停止部材１３０の第１レバー部１３１が遮蔽部材１２０の第１開口部１２１と係合しているために、遮蔽部材１２０は回転できず、第１開閉扉７０の閉操作は完了できない。
【００４５】
本実施形態に係るインターロックスイッチ機構１００は、着脱部材としての転写ユニット５０の装着により、遮蔽部材１２０と停止部材１３０との係合が解除され、第１開閉扉７０の凸片７２で遮蔽部材１２０が第２開閉扉８０の凸片８２を受け入れる第２位置に回転位置する。
そのために、インターロックスイッチ１１０は、第２開閉扉８０の作動片８２で直接押圧され、検知のバラツキが抑制される。
【００４６】
「変形例」
図７に変形例に係るインターロックスイッチ機構１００Ａの断面模式図を示す。
変形例に係るインターロックスイッチ機構１００Ａは、第２の停止部材１３０Ａを更に備え、転写ユニット５０以外の他の着脱部材を検知することができる。
【００４７】
遮蔽部材１２０Ａには、第２の停止部材１３０Ａの第１レバー部１３１Ａが係合する第３開口部１２５が形成されている。
例えば、他の着脱部材の一例として、廃トナー回収装置ＴＮが第２開閉扉８０の内側に装着されている場合、廃トナー回収装置ＴＮを装置本体に装着することで、第２の停止部材１３０Ａが搖動して遮蔽部材１２０Ａの第３開口部１２５との係合が解除され、遮蔽部材１２０Ａが回転可能な状態となる。
【００４８】
変形例に係るインターロックスイッチ機構１００Ａによれば、装置本体に第２の停止部材１３０Ａを追加して設けることで、新たな遮蔽部材を追加的に設けることなく、他の着脱部材の検知を行うことができる。
【符号の説明】
【００４９】
１・・・画像形成装置
１０・・・制御装置
２０・・・給紙装置
３０・・・感光体ユニット
４０・・・現像ユニット
５０・・・転写ユニット
６０・・・定着装置
７０・・・第１開閉部材
７２・・・凸片
８０・・・第２開閉部材
８２・・・作動片
１００、１００Ａ・・・インターロックスイッチ機構
１１０・・・インターロックスイッチ
１２０、１２０Ａ・・・遮蔽部材
１２１・・・第１開口部
１２２・・・第２開口部
１２３・・・操作部
１２４・・・案内部
１２５・・・第３開口部
１３０、１３０Ａ・・・停止部材
１３１・・・第１レバー部
１３２・・・第２レバー部
【図１】
2016161905.tif 000003
【図２】
2016161905.tif 000004
【図３】
2016161905.tif 000005
【図４】
2016161905.tif 000006
【図５】
2016161905.tif 000007
【図６】
2016161905.tif 000008
【図７】
2016161905.tif 000009